(57)【要約】      （修正有）【課題】多数重ね合わせた際の、表示面の損傷を防止することのできる自立型矢印、その他の通行案内用表示板を提供する。【解決手段】表示板は、断面が側面視で逆Ｖ字形の山形に屈曲し、前後両面の少なくとも一方の面が表示面となるパネル２を備え、側面視で山形断面に形成された左右方向のジョイント部材１の前後に下向きに傾斜したスカート部１ａに、上記前後のパネル２の上端を接合固定し、上記ジョイント部材１の山形断面を順次上下に重ね合わせ、重ね合わされた上下のパネル２，２間に一定のスペースを介してパネル２同士を非接触状態で複数の表示板を積み重ね可能に構成した自立型の表示板であって、上記パネル２の下端内側に閉状態でパネル２の内面に沿った方向に折畳まれ、開状態でウェイト載置可能なウェイト受枠１４を折畳み開閉可能に内向きに軸支して設けた。【選択図】図１
2020060718.tif 000002
【特許請求の範囲】
【請求項１】
断面が側面視で逆Ｖ字形の山形に屈曲し、前後両面の少なくとも一方の面が表示面となるパネル（２）を備え、側面視で山形断面に形成された左右方向のジョイント部材（１）の前後に下向きに傾斜したスカート部（１ａ）に、上記前後のパネル（２）の上端を接合固定し、上記ジョイント部材（１）の山形断面を順次上下に重ね合わせ、重ね合わされた上下のパネル（２），（２）間に一定のスペース（６）を介してパネル（２）同士を非接触状態で複数の表示板を積み重ね可能に構成した自立型の表示板であって、上記パネル（２）の下端内側に閉状態でパネル（２）の内面に沿った方向に折畳まれ、開状態でウェイト載置可能なウェイト受枠（１４）を折畳み開閉可能に内向きに軸支して設けた通行案内用表示板。
【請求項２】
ウェイト受枠（１４）がウェイト載置時に配置現場のグランド面に接地する機構とした請求項１に記載の通行案内用表示板。
【請求項３】
ウェイト受枠（１４）が折畳み状態で下部の他の表示板のパネル（２）の表示面に非接触状態でパネル（２）間のスペース（６）内に収納される請求項１又は２に記載の通行案内用表示板。
【請求項４】
ウェイト受枠（１４）を折畳み状態でパネル（２）内面側に係脱可能にロックするロック機構（２９）を設けてなる請求項１〜３のいずれかに記載の通行案内用表示板。
【請求項５】
開状態のウェイト受枠（１４）の開閉端を開閉端側のパネル（２）の下端側と係脱可能に連結係止し、前後のパネル（２）の下端の外側方向への開作動を規制する係止機構（２２），（２４）を設けてなる請求項１〜４のいずれかに記載の通行案内用表示板。
【請求項６】
ウェイト受枠（１４）を前後のラック状の枠体（１４ａ），（１４ｂ）に分割形成し、各枠体（１４ａ），（１４ｂ）を開状態で先端が互に突合わされるように前後のパネル（２）の下端側にそれぞれ軸支して設け、前後の枠体（１４ａ），（１４ｂ）を折畳み状態で各パネル（２）の内面側にロックするロック機構（２９）を設けた請求項１〜５のいずれかに記載の通行案内用表示板。
【請求項７】
前後の枠体（１４ａ），（１４ｂ）の開閉端側を連結係止する係止機構（２２），（２４）を設けた請求項６に記載の通行案内用表示板。
【発明の詳細な説明】
【技術分野】
【０００１】
この発明は自立型の矢印板その他の通行案内用表示板に関する。
【背景技術】
【０００２】
従来アルミ板等を逆Ｖ字形の山形に屈曲形成し、前後の表示パネルの表面を表示面とした矢印板等と称される自立型の表示板が古くから公知であるが、この表示板は保管や搬送時に山形断面で重ね合わせて多数積重ねた際にその重量で下部の表示板が外側に開いて変形し又はパネルの表示面とその上に重なるパネル内面が接触するため、表示面の矢印等の表示部が磨耗その他により損傷する欠点があるほか、多数の表示パネルを重ねると、下側の表示パネルが上側表示パネルの重量により外側に押し開かれて変形する欠点もある。
【０００３】
これに対し、例えば特許文献１に示される表示板のように、山形の稜線部に逆Ｖ字形断面のアルミ押出成形材よりなる補強されたジョイント部材のスカート部に、表示パネルの上端を接合固定し、このジョイント部材同士を重ね合わせることにより、パネル表面の重なり合いによる接触損傷と表示パネルの重ね重量による変形を防止している。
【先行技術文献】
【特許文献】
【０００４】
【特許文献１】実用新案登録第３２１３７３６号公報
【発明の概要】
【発明が解決しようとする課題】
【０００５】
しかし上記特許文献１の矢印板と称される表示パネルは、強風や車両の煽り風等による転倒、移動を防止するウェイトは、パネル内部や端部内に設けたフックに土のうや水入りのタンクを吊り下げるのが一般的であり（同文献中の図５参照）、積み重ねの妨げになるため、前後のパネル間にウェイト載置用のラック（ウェイト受枠）を設けることはできなかった。
【０００６】
このため固定型の矢印板では、現場でパネル内のフックに土のう等の吊り下げ作業が必要で、特に夜間や天候不良時の吊り下げ係止の手作業は煩わしく非効率であるという問題があった。
【課題を解決するための手段】
【０００７】
上記課題を解決するための本発明の表示板は、第１に断面が側面視で逆Ｖ字形の山形に屈曲し、前後両面の少なくとも一方の面が表示面となるパネル２を備え、側面視で山形断面に形成された左右方向のジョイント部材１の前後に下向きに傾斜したスカート部１ａに、上記前後のパネル２の上端を接合固定し、上記ジョイント部材１の山形断面を順次上下に重ね合わせ、重ね合わされた上下のパネル２，２間に一定のスペース６を介してパネル２同士を非接触状態で複数の表示板を積み重ね可能に構成した自立型の表示板であって、上記パネル２の下端内側に閉状態でパネル２の内面に沿った方向に折畳まれ、開状態でウェイト載置可能なウェイト受枠１４を折畳み開閉可能に内向きに軸支して設けたことを特徴とする。
【０００８】
第２に、ウェイト受枠１４がウェイト載置時に配置現場のグランド面に接地する機構としたことを特徴とする。
【０００９】
第３に、ウェイト受枠１４が折畳み状態で下部の他の表示板のパネル２の表示面に非接触状態でパネル２間のスペース６内に収納されることを特徴とする。
【００１０】
第４に、ウェイト受枠１４を折畳み状態でパネル２内面側に係脱可能にロックするロック機構２９を設けてなることを特徴とする。
【００１１】
第５に、開状態のウェイト受枠１４の開閉端を開閉端側のパネル２の下端側と係脱可能に連結係止し、前後のパネル２の下端の外側方向への開作動を規制する係止機構２２，２４を設けてなることを特徴とする。
【００１２】
第６に、ウェイト受枠１４を前後のラック状の枠体１４ａ，１４ｂに分割形成し、各枠体１４ａ，１４ｂを開状態で先端が互に突合わされるように前後のパネル２の下端側にそれぞれ軸支して設け、前後の枠体１４ａ，１４ｂを折畳み状態で各パネル２の内面側にロックするロック機構２９を設けたことを特徴とする。
【００１３】
第７に、前後の枠体１４ａ，１４ｂの開閉端側を連結係止する係止機構２２，２４を設けたことを特徴とする。
【発明の効果】
【００１４】
上記のように構成される本発明によれば、パネル下端側に内向きに開閉回動可能に設けたウェイト受枠を、表示板配置時に開いてその上にウェイトを載せるだけで足り、吊り下げ係止作業が不要になるほか、ウェイト受枠を接地させることにより、ウェイト載置による表示板の安定感は増大する。
【００１５】
また、搬送時には、ウェイト受枠をパネル内面に沿って折畳むことにより、上下のパネル間の隙間内に殆ど非接触状態で収納することができ、さらにこの折畳み状態をロック機構でロックすることにより、非接触状態を維持して多数の表示板を山形に積み重ねることができる。
【００１６】
そして上記ウェイト受枠が開状態（ウェイトを載せた状態）で、ウェイト受枠により前後のパネル下端を連結係止させることにより、表示板が側面視二等辺三角形の断面を保って外力に対しても安定的強度を保ち、ウェイトによる安定性もより効果的である。さらにウェイト受枠を前後に分割して各パネル下端に設けることにより、前後の重量バランスが良く、積み重ね時の安定性も良好になる。
【図面の簡単な説明】
【００１７】
【図１】本発明の表示板の全体斜視図である。
【図２】本発明に係るラック状のウェイト受枠の平面図である。
【図３】同じくウェイト受枠の側面図である。
【図４】表示板の積み重ね状態を示す部分側面図である。
【図５】ウェイト受枠のロック機構を示すパネル内面図である。
【図６】ウェイト受枠の係止機構を示す側面図である。
【図７】パネル側端部の断面図である。
【発明を実施するための形態】
【００１８】
図１〜図７は本発明の１実施形態を示し、図１は本発明の通行案内用表示板の全体斜視図であり、この発明の表示板は、上端稜線部の山形に湾曲形成（アルミ押出成形）された左右方向のジョイント部材１と、該ジョイント部材１に垂れ下がった前後のスカート部１ａの下端に下向きに接合された長方形又は正方形のアルミ複合板からなるパネル２と、各パネル２の下端を覆うように前後方向に取付けられたゴム等の弾性部材からなる接地部としての脚部３とが、全体としてパネル同士の交差角５５°程度の逆Ｖ字形の山形で前後対称形の断面に組付けられて構成されている。
【００１９】
ジョイント部材１は２ｍｍ程度の板厚で全高５５ｍｍ程度のサイズで押出し成形されたもので、山形に湾曲した上部の内面中央には、下向きの半円形断面の山形の補強リブ１ｂが稜線方向に沿って下向きに突設形成され、補強リブ１ｂの中心には左右方向に貫通する円形の孔１ｃが形成され、中空リブとなって軽量化されている。
【００２０】
また前後のスカート部１ａの下方の内側には、中央が円弧状の山形に湾曲した補強壁１ｄが両スカート部１ａを連結するように形成されてジョイント部材１全体が強度補強されるとともに、上記補強壁１ｄの両端側下部には、スカート部１ａ下端内面との間にパネル２の上端を挿入する差込溝１ｅを形成するための受けリブ１ｆが下向きに突設されている。補強壁１ｄの湾曲内面は、ジョイント部材１の上端面外周の湾曲面と適合して重なり合うようになっている（図３参照）。パネル２の上端はこの差込溝１ｅに下側から差込まれ、スカート部１ａ下端内面に重ねられビス又はリベット等の固着具４によって接合固着される。
【００２１】
パネル２の下端にはゴム等の弾性部材からなる脚部３が弾力的な接地部として左右方向全幅にわたって取付けられており、この脚部３はその底面が床面に沿って均一に左右方向に帯状に接地する接地面３ａを形成し、接地面上には、上記パネル２の傾斜角と対応して内向きに傾斜してパネル２の下端を差込収容する受溝３ｂを備えた収容部３ｃが形成され、パネル２の下端は脚部３の収容部３ｃで保護された状態で、収容部３ｃの収容部３ｃ内に止めビス７により締着固定される。上記脚部３によりパネル２は一定の弾力を保ちながらも安定的に接地して、表示パネル全体を支える。
【００２２】
前後の各パネル２は、左右端の露出表面を上下全長にわたって表面側から覆うように上下方向のカバープレート８がリベット又はビス等の固着具９によって取付けられており、カバープレート８は図７に示すようにパネル２の端面と端部表面を同時に覆うようにＬ字形断面に形成されたものを用いる。
【００２３】
上記構成によれば、表示板を上下方向に重ねた際に、上方に向けて凹設するように湾曲形成された前記補強壁１ｄの下面側と、山型に湾曲形成された前記ジョイント部材１の上面側とが適合するようにして当接されるため、表示板を重ねて積み上げた際の安定性がよくなる。また、前記ジョイント部材１に形成した補強リブ１ｂ及び孔１ｃによって、多数の表示板を重ねて積み上げた場合であっても、下側の表示パネルが重量によって逆Ｖ字形が前後に広がるように変形することを防止できる（図４参照）。
【００２４】
また、該構成の表示パネルを上下方向に重ねると、前記ジョイント部材１を介したことによって、上の表示パネルのパネル２上部と、下の表示板のパネル２上部との間には、前記補強壁１ｄ端部側の屈曲部によりスペース６が確保される（図４参照）。このとき、上の表示板のパネル２下部内側端部が、後述するウェイト受枠の基端部を介して下の表示板のパネル２の下端の脚部３（収容部３ｃ）に当接された状態で保持されるため、上の表示板のパネル２下部と、下の表示板のパネル２の下部との間にも、同スペース６が確保される（図４参照）。
【００２５】
すなわち、該構成の表示板を上下に重ねて収容した場合、上下の表示板のパネル２同士の間に所定の空間を確実に確保した状態で安定して収容できるため、表示板を重ねた際にパネル２の表面に傷がつくことを効率的に防止することができる。尚、上記スペース６内に後述するウェイト受枠１４を折畳み収容する点については後に詳しく説明する。
【００２６】
なお、上記のパネル２の表面は上下左右の略全周をカバーされているが、これはパネル２の表面の特に劣化し易い周面を保護するためのものである。即ち、パネル２は既述のように例えばアルミ複合板等のように軽量で耐久性のある材料が用いられるが、表示面となるその表面には例えばプラスチック製でプリズムレンズ型反射シート，カプセルレンズ型反射シート，高輝度反射板等と称される傷付き易く且つ比較的高価な公知の特殊な反射材２ａを用いるためである。該パネル２には、特許文献１に示されるような公知のものが使用される。１１はパネル２の表面に浮模様状に反射して視認される表示物（矢印）である。
【００２７】
尚、本実施形態の表示板では、ジョイント部材１の左右の中間位置にゲート状の切欠を把持部１２として形成し、この把持部１２を持って持運びができる。１３はゲート状の切欠の内周に嵌合した合成樹脂製の保護カバーである。このように把持部１２を形成しても、この部分の外力に対する強度は先に述べた補強リブ１ｂによって補われる。
【００２８】
次に本発明の表示板のウェイト受枠１４とその取付機構につき説明すると、前後のパネル２の下端間には、両パネルを連結可能な状態で格子枠状のウェイト受枠１４が設けられ、このウェイト受枠１４は図２，図３に示すように、使用時には全体として表示板の接地範囲内に納まる大きさで長方形（又は正方形）の枠状にアルミ押出成形材により形成されている。
【００２９】
ウェイト受枠１４は、長方形の前後の中心で一対の略対称形状の枠体１４ａ，１４ｂに互に内端が平面上で突合わされる構造で分割形成されている。
【００３０】
各枠体１４ａ，１４ｂの左右両端の縦杆となる各アーム材１６は、前後のパネル２，２の前後間隔と略一致する長さを有する角パイプ材よりなり、両アーム材１６，１６間には、これと同材よりなり短寸の縦杆１７が複数本、等間隔に配置されている。各縦杆１７のパネル側端部は前後のアーム材１６，１６間に直交して架設される帯状材からなる横杆１８により連結固定され、さらにその一定間隔を介した内側にも同寸の横杆１８がアーム材１６と縦杆１７を連結するように平行に固着されている。
【００３１】
そしてアーム材１６と縦杆１７の先端は僅かな突合せ間隔１９を介して突合わされた状態で平坦状に伸展しており、後方枠体１４ａの内端には、突合せ間隔１９と各縦杆１７の突合せ端を覆う幅広で帯状のストッパー杆２１が、後方左右のアーム材１６とともに連結固定されて設けられている。
【００３２】
他方、前方枠体１４ｂの左右のアーム材１６と、これに隣接する内側の縦杆１７の突合せ端には、アングル状断面の受け杆２２が下側から当てがわれて被さるように連結固定されている。
【００３３】
その受け杆２２の左右中心位置に対応するストッパー杆２１側の下面には、上記受け杆２２の上向きのアングル片に被さって係止されるアングル状の係止部材２４が固着して設けられており、この係止部材２４の下向きのアングル片が、受け杆２２の上向きのアングル片に被さることにより、前後の枠体１４ａ，１４ｂは平面状（伸展状態）で平枠状に前後係脱可能に連結される。
【００３４】
そして前後の枠体１４ａ，１４ｂは受け杆２２と係止部材２４が伸展状態で互に係止し合うことにより前後に連結された状態となり、同時に前後のパネル２も下端がウェイト受枠１４を介して連結され、グランド面に配置した場合も表示板の安定感が向上する。
【００３５】
またこの時、後方枠体１４ａ側のストッパー杆２１の先端が、前方枠体１４ｂの先端上面に被さって当接するため、ウェイト載置により、前後の枠体１４ａ，１４ｂは同一平面に揃えられ、一体のウェイト受枠１４となってウェイトを受け止めて接地される。また設置時に表示板の前後のパネル２，２の下端に前後から押圧方向の外力が加わった場合も、前後の枠体１４ａ，１４ｂの突合せ端が当接することにより、表示板全体の剛性は保持される。
【００３６】
上記各枠体１４ａ，１４ｂのアーム材１６の内端は、表示板の前後のパネル２の下端の脚部３（の内側収容部３ｃ）に取付けた軸受部材２６と、軸受部材２６に差込まれた支点ピン（回動支点）２７を介して、前後のパネル２，２のそれぞれの下端に回動折畳み可能に軸支して取付けられる。
【００３７】
即ち枠体１４ａ，１４ｂは、グランド面に接地した状態で伸展したときは、図２及び図３の実線で示すように、平坦な枠状に連結されているが、これを図３の仮想線又は図４に示すように上向きに回動させると前後のパネル２の下方内面に沿って折畳むことが可能となる。
【００３８】
このように折畳まれた状態では、表示板を積み重ねても図４に示すように前後の枠体１４ａ，１４ｂはそれぞれ上下のパネル２，２間のスペース６内に納めされる寸法及び機構で設計されている。２８は各アーム材１６の基端部（取付端）の底面に固着された補強プレートで、前述した受け杆２２とともにグランド面に配置した時は、ウェイト受枠１４の接地部となる。
【００３９】
そして前後のパネル２の左右両端の内面側には、折畳まれた枠体１４ａ，１４ｂを前後のパネル２の内面に沿った折畳み状態で押圧保持するように、係脱自在にロックするロック部材２９が回動切換可能に軸支して設けられ、ロック機構を構成している。
【００４０】
上記ウェイト受枠１４は、図１〜図３のようにグランド面上に配置されて平坦に伸展させた状態で、その上面に土のうや水入りのポリタンク等のウェイト（図示しない）を簡単に載せることができ、また簡単に取り除くことが可能であり、ウェイト載置状態でウェイト受枠１４がパネル２の下端とともに安定的な接地状態を保持する。
【符号の説明】
【００４１】
１      ジョイント部材
１ａ    スカート部
２      パネル
６      スペース
１４    ウェイト受枠
１４ａ，１４ｂ  枠体
２２    受け杆（係止機構）
２４    係止部材（係止機構）
２９    ロック部材（ロック機構）
【図１】
2020060718.tif 000003
【図２】
2020060718.tif 000004
【図３】
2020060718.tif 000005
【図４】
2020060718.tif 000006
【図５】
2020060718.tif 000007
【図６】
2020060718.tif 000008
【図７】
2020060718.tif 000009